(57)【要約】【課題】保形用線材を有さず着け心地が快適で、保形用線材を有している状態と同様にカップ部が保形機能、補整機能を充分発揮することができるブラジャーの提供。【解決手段】一対のカップ部１１、１１と、保持部１５、１５を互いに連結したバック部１６と、カップ部１１、１１の上方部からバック部１６に連結された肩ストラップ１７、１７と、カップ部１１、１１間を連結する着脱可能なフロントホック１８とを有するブラジャー１０において、カップ部１１、１１に延長直線２０方向に非伸縮性の支持布２１と、保持部１５、１５に保持テープ２２、２２と、脇部２３、２３とを備えた。【選択図】図１
0003117525.tif 000002
【実用新案登録請求の範囲】
【請求項１】
一対のカップ部と、該両カップ部の下縁部から脇側縁部に沿ってそれぞれ連結された保持部と、該両保持部を連結し連結方向に伸縮性を持つバック部と、前記両カップ部の上部からそれぞれ該バック部に連結され連結方向に伸縮性を持つ肩ストラップと、前記両カップ部を連結する着脱可能な連結具とを有するブラジャーであって、前記保持部に前記両カップ部の下縁部から脇側縁部に沿ってそれぞれ縫着され帯状の布からなる突条を形成する保持テープを備えたことを特徴とするブラジャー。
【請求項２】
前記両カップ部は、該カップ部の脇側縁部から上縁部の前記肩ストラップ連結部までの縁部と、前記肩ストラップからの延長直線とによって包囲される前記両カップ部の表面に、前記縁部を縫着することにより固定した該延長直線方向に伸縮性を有しない支持布を備えたことを特徴とする請求項１のブラジャー。
【請求項３】
前記保持テープは、二列であることを特徴とする請求項１又は２のブラジャー。
【請求項４】
前記保持テープは、不織布を筒状に折り畳みテープ状にしたことを特徴とする請求項１、２又は３のブラジャー。
【請求項５】
前記保持部は、三層以上で構成され、内部の芯材にクッション材を用いたことを特徴とする請求項１〜３又は４のブラジャー。
【考案の詳細な説明】
【技術分野】
【０００１】
本考案は、カップ部に保形用線材を有しないブラジャーに関する。
【背景技術】
【０００２】
一般的にブラジャーはバストを保護すると同時に、バストの形状を変形させない為の保形機能と、バストの形状を見栄え良く整える補整機能とが求められ、バストに当てがう一対のカップ部内部に適度な硬さと柔軟性を有した芯材（軟質ポリウレタンフォームや不織布等）が装着されている。
【０００３】
このようなカップ部には、保形機能と補整機能とをより好適に発揮させる為に、保形用線材がカップ部下縁部から脇側縁部にかけての湾曲部に挿入されているものがある。保形用線材としては、剛性を有する円弧状の金属線やプラスチック線が使用され、これらがカップ部に装着されているブラジャーはワイヤ入りブラジャーと称され広く利用されている。また、これらのブラジャー等に用いられる保形用線材は図４に示すように、バイヤステープや不織布等の生地1を筒状に折り畳み、所定の場所に糸２で縫着し被覆ケース３を形成した後、この中心に保形用線材４を挿入して被覆ケース３の保形用線材４挿入口を縫着することで、固定したものが一般的に用いられている。
【０００４】
一方、カップ部に保形用線材を有しないブラジャーもノンワイヤブラジャーと称され広く知られている。一般的にワイヤ入りブラジャーと比べるとバストの保形機能、補整機能は劣るが保形用線材による圧迫がなく、身体へのストレスが軽減される為、こちらも広く利用されている。
【考案の開示】
【考案が解決しようとする課題】
【０００５】
しかし、ワイヤ入りブラジャーの場合、不織布等に包まれて縫い付けられた状態ではあるが硬い素材である金属線やプラスチック線等の保形用線材が強く肌に当たる為、骨や皮膚を圧迫し痣になってしまったり、洗濯を繰り返すことで、保形用線材が縫着部をつき抜けて飛び出し、肌を傷つけることがあった。
【０００６】
一方ノンワイヤブラジャーの場合、保形用線材の圧迫はなく肌にストレスはないものの、上述のようにワイヤ入りブラジャーに比べ、保形機能、補整機能が劣っている。着用時、伸縮性を持つバック部からの引張により、保形用線材を有していないカップ部も共に引張られ変形し、カップ部がバストを保持せず押し潰してしまう状態に陥りやすかった。また、着用者が腕を上げる等の胸部を伸ばす動作をしたときにも、保形用線材を有していないカップ部が肩ストラップにより上方へ引かれ肌に即して変形し、バストを支えるべきカップ部の下縁部がバージスラインからずり上がりバストに乗り上げてしまう事があった。このようにノンワイヤブラジャーは、バストに対し適切にカップ部を当てがうことが難しく、カップ部が保形機能、補整機能を有していても、それらの機能が発揮され難かった。
【０００７】
従来の技術では、以上のような問題があった。
【０００８】
そこで本考案は、上述の従来技術の問題を鑑み、保形用線材を有さず着け心地が快適で、保形用線材を有している状態と同様にカップ部が保形機能、補整機能を充分発揮することができるブラジャーの提供を目的とする。
【課題を解決するための手段】
【０００９】
上述の如き従来の問題を解決し、所期の目的を達成するための請求項１に記載の考案は、一対のカップ部と、該両カップ部の下縁部から脇側縁部に沿ってそれぞれ連結された保持部と、該両保持部を連結し連結方向に伸縮性を持つバック部と、前記両カップ部の上部からそれぞれ該バック部に連結され連結方向に伸縮性を持つ肩ストラップと、前記両カップ部を連結する着脱可能な連結具とを有するブラジャーであって、前記保持部に前記両カップ部の下縁部から脇側縁部に沿ってそれぞれ縫着され帯状の布からなる突条を形成する保持テープを備えたことを特徴とする。
【００１０】
請求項２に記載の考案は、請求項１の構成に加え、前記両カップ部は、該カップ部の脇側縁部から上縁部の前記肩ストラップ連結部までの縁部と、前記肩ストラップからの延長直線とによって包囲される前記両カップ部の表面に、前記縁部を縫着することにより固定した該延長直線方向に伸縮性を有しない支持布を備えたことを特徴とする。
【００１１】
請求項３に記載の考案は、請求項１又は２の構成に加え、前記保持テープは、二列であることを特徴とする。
【００１２】
請求項４に記載の考案は、請求項１、２又は３の構成に加え、前記保持テープは、不織布を筒状に折り畳みテープ状にしたことを特徴とする。
【００１３】
請求項５に記載の考案は、請求項１〜３又は４の構成に加え、前記保持部は、三層以上で構成され、内部の芯材にクッション材を用いたことを特徴とする。
【考案の効果】
【００１４】
本考案に係るブラジャーは、一対のカップ部と、該両カップ部の下縁部から脇側縁部に沿ってそれぞれ連結された保持部と、該両保持部を連結し連結方向に伸縮性を持つバック部と、前記両カップ部の上部からそれぞれ該バック部に連結され連結方向に伸縮性を持つ肩ストラップと、前記両カップ部を連結する着脱可能な連結具とを有するブラジャーであって、前記保持部に前記両カップ部の下縁部から脇側縁部に沿ってそれぞれ縫着され帯状の布からなる突条を形成する保持テープを備えたことにより、前記保持テープがバージスラインに当てがわれ、前記両カップ部に保形用線材を内装しなくともバストを保持し、前記両カップ部が適切にバストに当てがわれ保形機能、補整機能を発揮する。
【００１５】
前記両カップ部は、該カップ部の脇側縁部から上縁部の前記肩ストラップ連結部までの縁部と、前記肩ストラップからの延長直線とによって包囲される前記両カップ部の表面に、前記縁部を縫着することにより固定した該延長直線方向に伸縮性を有しない支持布を備えたことにより、該支持布は前記保持テープの脇側部を前記肩ストラップが支える状態で縫着されており、前記バック部からの引張や着用者の動作による前記保持テープの変形を防いでいる。従って前記保持テープが適切にバージスラインに当てがわれバストを保持できる。
【００１６】
前記保持テープは二列であることにより、バージスラインを面で押さえ、バストを脇に逃がさず保持できる。
【００１７】
前記保持テープは不織布を筒状に折り畳みテープ状にしたことにより、保形用線材を内装しなくともしっかりバストを保持し、カップ部がワイヤ入りブラジャーのような保形機能、補整機能を発揮し、かつ保形用線材による圧迫が無いため着心地が快適である。また、保形用線材を挿入する工程を除けば、ワイヤ入りブラジャーと製造方法が同様であり、現在ワイヤ入りブラジャーの製造を行っている製造ラインによる製造が可能である。そのため、新たに機材を導入する必要が無く経済的にも有用である。
前記保持部は、三層以上で構成され、内部の芯材にクッション材を用いたことにより、バストを脇に逃がさぬよう着用者の脇からしっかりと押さえ補助しながらも、感触が柔らかで圧迫される不快感がない。
【考案を実施するための最良の形態】
【００１８】
次に本考案に係るブラジャーの実施形態について説明する。
【００１９】
図１は、本考案に係るブラジャーの一例を示す斜視図である。
【００２０】
ブラジャー（本実施例ではフロントホック型ブラジャー）１０は一対のカップ部１１、１１と、カップ部１１、１１の下縁部１２から脇側縁部１３に沿った保持線１４に連結された保持部１５、１５と、保持部１５、１５を脇側から互いに連結するバック部１６と、カップ部１１、１１の上方部からバック部１６に連結された肩ストラップ１７、１７と、保持部１５、１５を前側から連結する着脱可能なフロントホック１８とで構成されている。
【００２１】
カップ部１１は、バストを保形、補整するための形に裁断されたクッション材からなる芯材を布で覆って縫い合わせた三層以上で構成されている。尚、図中符号１９はカップ部を装飾するレース等の装飾布である。またカップ部１１の着用者の肌に触れる側、即ち、肌側にはカップ部１１の脇側縁部１３から上縁部の肩ストラップ１７連結部までの縁部と肩ストラップ１７からの延長直線２０とに囲まれる面に支持布２１が縫い付けられている。この支持布２１はその縁部を、カップ部１１の脇側縁部１３から上縁部の肩ストラップ１７連結部までに対して縫い付ける事で固定されている。
【００２２】
保持部１５には、保持線１４に沿って二列に縫い着けられている保持テープ２２、２２と、カップ部１１を支持している脇部２３とを備えている。
【００２３】
保持テープ２２、２２は図２に示すように、不織布２４を筒状に折り畳みテープ状にし、糸２５で縫いつけたものであり、この実施例では図４に示す従来例に用いられている保形用線材挿通用の被覆ケース３と同じものに保形用線材を挿入せずに用いている。従って、保形用線材を挿入する工程を除けば、保持テープ２２と従来例を示した図４における被服ケース３の製造方法は同様であり、保持テープ２２は現在被覆ケース３の製造を行っている製造ラインで製造される。
【００２４】
脇部２３は、カップ部１１と同様のクッション材からなる芯材を布で覆い縫い合わせた三層以上で構成されたものを用いられている。
【００２５】
バック部１６、肩ストラップ１７、１７は、カップ部１１、１１がバストに対し適切な位置に当てがわれるよう背面と肩から保持するために長手方向に伸縮性を有している。また、バック部１６には上縁部、下縁部に長手方向に伸縮性を持つ支持テープ２６、２７が縫着されている。上縁部の支持テープ２６はバック部１６から保持部１５、１５の上縁部に跨り、カップ部１１、１１の上縁部に接続されている肩ストラップ１７、１７に繋がるように縫着されている。下縁部の支持テープ２７はバック部１６から保持部１５の下縁部に跨り着用者の胴を一周する状態で縫着されている。このように支持テープ２６、２７がバック部１６から延長されるように縫着されることで、バック部１５、肩ストラップ１７と共に着用時、ブラジャー１０が身体に対し適した位置からずれてしまうのを抑制している。
【００２６】
このように構成されたフロントホック型ブラジャー１０の着用状態を図３に示す。
【００２７】
着用時、保持線１４がバージスラインに沿うように当てがわれるが、ワイヤ入りのブラジャーの場合、バージスラインに保形用線材を肌に強く押し付け、線で支えるのとは異なり、保持テープ２２を二列にすることにより、バージスラインを面で押さえている。この様に面で支えることにより、保形用線材により強制的にバストの形状を保持するのではなく、バストの行き場を無くすことでノンワイヤブラジャーに起こりがちな、ずり上がりを防ぎ、着用者が運動を行っても自然とバストの位置にカップ部１１、１１が当てがわれ、カップ部１１、１１の保形機能、補整機能が確実に発揮される。
【００２８】
また、支持布２１は肩ストラップ１７からの延長直線２０方向に非伸縮性であり、脇側縁部１３からカップ部１１上縁部の肩ストラップ１７接続部までを縫着されていることから、肩ストラップ１７が支持布２１を介して保持テープ２２の脇側縁部１３側端部を吊っている状態となる。従って、肩ストラップ１７が支持布２１を介し保持テープ２２の脇側縁部１３側端部を支え、保形用線材を内装しなくとも、バック部１６からの引張や着用者が運動を行う等による保持テープ２２の変形が起こらず、バストが逃げやすい脇の部分をしっかり保持することとなる。更に、伸縮性を有する肩ストラップ１７の引張が逆に支持布２１を介して保持テープ２２に伝わることにより、バストが脇から持ち上げられ、バストに対し所謂寄せて上げるという補整機能を発揮する。
【００２９】
更に脇部２３が保持テープ２２の役割をより強化している。脇部２３に保形機能、補整機能を持つカップ部１１と同じ素材を用いる事で、適度な硬さと柔軟性があり着用者に圧迫感を与えずに、保持テープ２２同様、バスト周辺をしっかり面で押さえることができる。
【００３０】
加えて本実施例ではフロントホック型ブラジャー１０であることによりカップ部１１、１１がバストを個々に補整しノンワイヤブラジャーでは造形し難い、バストの谷間を形成することができる。
【００３１】
以上、本実施例においてはフロントホック型ブラジャー１０について説明を行ったが、本考案はフロントホック型のような前開きのブラジャーに限定されるものではない。また一対のカップ部を有するものであれば、スリップ、ビスチェ、ボディスーツ、水着等でも実現可能である。
【００３２】
尚、保持部１５は保持テープ２２を二列としたが、一列でもよい。また、保持部１５の脇部２３は必ずしも必要ではない。
【００３３】
更に、支持布２１は肩ストラップ１７から保持テープ２２の脇側縁部１３側端部を支える状態に縫着されていればよく、上述の実施例では着用者の肌に触れる位置に露出させて縫着したが、外観の良さと肌触りも考慮し、カップ部１１、１１表面のレース等の装飾布１９の下に配置するか、或いは、肩ストラップ１７の延長直線２０方向に非伸縮性のレース等の装飾布１９を支持布２１としてもよい。
【図面の簡単な説明】
【００３４】
【図１】本考案に係るブラジャーの一例を示す斜視図である。
【図２】図１中の保持テープの取付状態を示す拡大断面図である。
【図３】本考案に係るブラジャーの着用状態を示す斜視図である。
【図４】ブラジャーに用いられる一般的なワイヤの取付状態を示す断面図である。
【符号の説明】
【００３５】
１０  ブラジャー（フロントホック型ブラジャー）
１１  カップ部
１２  下縁部
１３  脇側縁部
１４  保持線
１５  保持部
１６  バック部
１７  肩ストラップ
１８  フロントホック
１９  装飾布
２０  延長直線
２１  支持布
２２  保持テープ
２３  脇部
２４  不織布
２５  糸
２６  支持テープ
２７  支持テープ
【図１】
0003117525.tif 000003
【図２】
0003117525.tif 000004
【図３】
0003117525.tif 000005
【図４】
0003117525.tif 000006